【手続補正書】
【提出日】平成17年10月4日(2005.10.4)
【手続補正１】
【補正対象書類名】明細書
【補正対象項目名】発明の名称
【補正方法】変更
【補正の内容】
【発明の名称】画像処理装置、画像処理方法、記憶媒体、プログラム
【手続補正２】
【補正対象書類名】明細書
【補正対象項目名】特許請求の範囲
【補正方法】変更
【補正の内容】
【特許請求の範囲】
【請求項１】  複数ページからなる文書データを記憶可能な記憶手段と該記憶手段の文書データを印刷可能な印刷手段とを有する画像処理装置であって、
ページ番号を印刷すべきジョブの文書データの印刷を前記印刷手段により実行可能にする制御手段を有し、
前記制御手段は、
ページ番号を印刷すべきジョブの文書データに予めページ番号が付与されている場合に、該予め付与されているページ番号は前記印刷手段により印刷させず、且つ、操作手段を介して入力されたユーザ指示により、印刷すべきページ番号を印刷媒体上のどの位置に印刷させるか前記操作手段を介してユーザが指定することなく、前記ページ番号を印刷すべきジョブの文書データに予め付与されているページ番号の位置と同じ位置に相当する印刷媒体上の印刷位置に、前記印刷すべきページ番号を、自動的に、前記印刷手段により、印刷可能にする、ことを特徴とする画像処理装置。
【請求項２】  複数ページからなる文書データを記憶可能な記憶手段と該記憶手段の文書データを印刷可能な印刷手段とを有する画像処理装置であって、
ページ番号を印刷すべきジョブの文書データの印刷を前記印刷手段により実行可能にする制御手段を有し、
前記制御手段は、
ページ番号を印刷すべきジョブの文書データに予めページ番号が付与されている場合に、該予め付与されているページ番号は前記印刷手段により印刷させず、且つ、印刷すべきページ番号を、前記ページ番号を印刷すべきジョブの文書データに予め付与されているページ番号の位置と同じ位置に相当する印刷媒体上の印刷位置に印刷させずに、操作手段を介して入力されたユーザ指示に基づいた印刷媒体上の印刷位置に、前記印刷すべきページ番号を、前記印刷手段により、印刷可能にする、ことを特徴とする画像処理装置。
【請求項３】  複数ページからなる文書データを記憶可能な記憶手段と該記憶手段の文書データを印刷可能な印刷手段とを有する画像処理装置であって、
ページ番号を印刷すべきジョブの文書データの印刷を前記印刷手段により実行可能にする制御手段を有し、
前記制御手段は、
ページ番号を印刷すべきジョブの文書データに予めページ番号が付与されている場合に、該予め付与されているページ番号は前記印刷手段により印刷させず、且つ、前記ページ番号を印刷すべきジョブの文書データに予め付与されているページ番号の位置と同じ位置に相当する印刷媒体上の印刷位置に印刷すべきページ番号を自動的に前記印刷手段により印刷させる第１指定動作、及び、前記ページ番号を印刷すべきジョブの文書データに予め付与されているページ番号の位置と同じ位置に相当する印刷媒体上の印刷位置に前記印刷すべきページ番号を自動的に前記印刷手段により印刷させない第２指定動作、のうちの、操作手段を介して実行された第１のユーザ選択に応じた動作を、前記画像処理装置により、実行可能にするが、
前記第２指定動作を実行する場合に、前記ページ番号を印刷すべきジョブの文書データに予め付与されているページ番号の位置と同じ位置に相当する印刷媒体上の印刷位置に前記印刷すべきページ番号を印刷させずに、操作手段を介して実行されたページ番号の印刷位置を指定する為の第２のユーザ選択に基づいた印刷媒体上の印刷位置に、前記印刷すべきページ番号を、前記印刷手段により、印刷可能にする、ことを特徴とする画像処理装置。
【請求項４】  複数ページからなる文書データを記憶可能な記憶手段と該記憶手段の文書データを印刷可能な印刷手段とを有する画像処理装置であって、
ページ番号を印刷すべきジョブの文書データの印刷を前記印刷手段により実行可能にする制御手段を有し、
前記制御手段は、
ページ番号を印刷すべきジョブの文書データに予めページ番号が付与されている場合に、前記ページ番号を印刷すべきジョブの文書データに予め付与されているページ番号は残したままで印刷すべきページ番号を前記印刷手段により印刷させる第１のナンバリング動作、及び、前記ページ番号を印刷すべきジョブの文書データに予め付与されているページ番号は残さずに前記印刷すべきページ番号を前記印刷手段により印刷させる第２のナンバリング動作、のうちの、操作手段を介して入力されたユーザからの第１の指示に応じた動作を、前記画像処理装置により、実行可能にするが、
前記第２のナンバリング動作を実行する場合に、前記ページ番号を印刷すべきジョブの文書データに予め付与されているページ番号の位置と同じ位置に相当する印刷媒体上の印刷位置に前記印刷すべきページ番号を印刷させずに、前記操作手段を介して入力されたユーザからの第２の指示に基づいた印刷媒体上の印刷位置に、前記印刷すべきページ番号を、前記印刷手段により、印刷可能にする、ことを特徴とする画像処理装置。
【請求項５】  互いに複数ページからなる第１の文書データ及び第２の文書データを含む互いに独立した複数の文書データを記憶可能な記憶手段の文書データを印刷可能な印刷手段を有する画像処理装置であって、
前記記憶手段の互いに独立した複数の文書データの中から前記第１の文書データと前記第２の文書データを、操作手段を介してユーザにより選択可能にし、該選択された互いに独立した第１の文書データと第２の文書データを１つの文書データとして前記印刷手段により印刷可能にする、制御手段を有し、
前記制御手段は、
前記操作手段を介してユーザにより選択された互いに独立した第１の文書データと第２の文書データを１つの文書データとして印刷させる場合に、これらの文書データの為にページ番号を前記印刷手段により印刷可能にするが、前記操作手段を介して入力されたユーザ指示により、前記第１の文書データの最終ページの為に印刷させるページ番号に連続するページ番号を前記第２の文書データの先頭ページの為に印刷することなく、所定のページ番号を前記第２の文書データの先頭ページの為のページ番号として前記印刷手段により印刷可能にする、ことを特徴とする画像処理装置。
【請求項６】  互いに複数ページからなる第１の文書データ及び第２の文書データを含む互いに独立した複数の文書データを記憶可能な記憶手段の文書データを印刷可能な印刷手段を有する画像処理装置であって、
前記記憶手段の互いに独立した複数の文書データの中から前記第１の文書データと前記第２の文書データを、操作手段を介してユーザにより選択可能にし、該選択された互いに独立した第１の文書データと第２の文書データを１つの文書データとして前記印刷手段により印刷可能にする、制御手段を有し、
前記制御手段は、
前記操作手段を介してユーザにより選択された互いに独立した第１の文書データと第２の文書データを１つの文書データとして印刷させる場合に、これらの文書データの為にページ番号を前記印刷手段により印刷可能にするが、前記操作手段を介して入力されたユーザ指示により、前記第１の文書データの最終ページの為に印刷させるページ番号に連続するページ番号を前記第２の文書データの先頭ページの為に印刷することなく、前記第１の文書データの先頭ページの為に印刷させるページ番号と同じページ番号を前記第２の文書データの先頭ページの為のページ番号として前記印刷手段により印刷可能にする、ことを特徴とする画像処理装置。
【請求項７】  互いに複数ページからなる第１の文書データ及び第２の文書データを含む互いに独立した複数の文書データを記憶可能な記憶手段のデータの印刷を実行可能な印刷手段を有する画像処理装置であって、
前記記憶手段の互いに独立した複数の文書データの中から前記第１の文書データと前記第２の文書データを操作手段を介してユーザにより選択可能にし、該選択された互いに独立した第１の文書データと第２の文書データを１つの文書データとして前記印刷手段により印刷可能にする、制御手段を有し、
前記制御手段は、
前記操作手段を介してユーザにより選択された互いに独立した第１の文書データと第２の文書データを１つの文書データとして印刷させる場合に、これらの文書データの為に、章番号とページ番号を、前記印刷手段により印刷可能にするが、前記操作手段を介してユーザから所定の指示が入力された場合に、前記第１の文書データの最終ページの為に印刷させるページ番号に連続するページ番号を前記第２の文書データの先頭ページの為に印刷することなく、所定のページ番号を前記第２の文書データの先頭ページの為のページ番号として前記印刷手段により印刷させ、且つ、前記第１の文書データの為に印刷させる章番号と異なる章番号を前記第２の文書データの為の章番号として前記印刷手段により印刷させる、ことを特徴とする画像処理装置。
【請求項８】  互いに複数ページからなる第１の文書データ及び第２の文書データを含む互いに独立した複数の文書データを記憶可能な記憶手段のデータの印刷を実行可能な印刷手段を有する画像処理装置であって、
前記記憶手段の互いに独立した複数の文書データの中から前記第１の文書データと前記第２の文書データを操作手段を介してユーザにより選択可能にし、該選択された互いに独立した第１の文書データと第２の文書データを１つの文書データとして前記印刷手段により印刷可能にする、制御手段を有し、
前記制御手段は、
前記操作手段を介してユーザにより選択された互いに独立した第１の文書データと第２の文書データを１つの文書データとして印刷させる場合に、これらの文書データの為に、章番号とページ番号を、前記印刷手段により印刷可能にするが、前記操作手段を介してユーザから所定の指示が入力された場合に、前記第１の文書データの最終ページの為に印刷させるページ番号に連続するページ番号を前記第２の文書データの先頭ページの為に印刷することなく、前記第１の文書データの先頭ページの為に印刷させるページ番号と同じページ番号を前記第２の文書データの先頭ページの為のページ番号として前記印刷手段により印刷させ、且つ、前記第１の文書データの為に印刷させる章番号に連続する章番号を前記第２の文書データの為の章番号として前記印刷手段により印刷させる、ことを特徴とする画像処理装置。
【請求項９】  複数ページからなる文書データを記憶可能な記憶手段と該記憶手段の文書データを印刷可能な印刷手段とを有する画像処理装置の為の画像処理方法であって、
ページ番号を印刷すべきジョブの文書データの印刷を前記印刷手段により実行可能にし、
ページ番号を印刷すべきジョブの文書データに予めページ番号が付与されている場合に、該予め付与されているページ番号は前記印刷手段により印刷させず、且つ、操作手段を介して入力されたユーザ指示により、印刷すべきページ番号を印刷媒体上のどの位置に印刷させるか前記操作手段を介してユーザが指定することなく、前記ページ番号を印刷すべきジョブの文書データに予め付与されているページ番号の位置と同じ位置に相当する印刷媒体上の印刷位置に、前記印刷すべきページ番号を、自動的に、前記印刷手段により、印刷可能にする、ことを特徴とする画像処理方法。
【請求項１０】  複数ページからなる文書データを記憶可能な記憶手段と該記憶手段の文書データを印刷可能な印刷手段とを有する画像処理装置の為の画像処理方法であって、
ページ番号を印刷すべきジョブの文書データの印刷を前記印刷手段により実行可能にし、
ページ番号を印刷すべきジョブの文書データに予めページ番号が付与されている場合に、該予め付与されているページ番号は前記印刷手段により印刷させず、且つ、印刷すべきページ番号を、前記ページ番号を印刷すべきジョブの文書データに予め付与されているページ番号の位置と同じ位置に相当する印刷媒体上の印刷位置に印刷させずに、操作手段を介して入力されたユーザ指示に基づいた印刷媒体上の印刷位置に、前記印刷すべきページ番号を、前記印刷手段により、印刷可能にする、ことを特徴とする画像処理方法。
【請求項１１】  複数ページからなる文書データを記憶可能な記憶手段と該記憶手段の文書データを印刷可能な印刷手段とを有する画像処理装置の為の画像処理方法であって、
ページ番号を印刷すべきジョブの文書データの印刷を前記印刷手段により実行可能にし、
ページ番号を印刷すべきジョブの文書データに予めページ番号が付与されている場合に、該予め付与されているページ番号は前記印刷手段により印刷させず、且つ、前記ページ番号を印刷すべきジョブの文書データに予め付与されているページ番号の位置と同じ位置に相当する印刷媒体上の印刷位置に印刷すべきページ番号を自動的に前記印刷手段により印刷させる第１指定動作、及び、前記ページ番号を印刷すべきジョブの文書データに予め付与されているページ番号の位置と同じ位置に相当する印刷媒体上の印刷位置に前記印刷すべきページ番号を自動的に前記印刷手段により印刷させない第２指定動作、のうちの、操作手段を介して実行された第１のユーザ選択に応じた動作を、前記画像処理装置により、実行可能にするが、
前記第２指定動作を実行する場合に、前記ページ番号を印刷すべきジョブの文書データに予め付与されているページ番号の位置と同じ位置に相当する印刷媒体上の印刷位置に前記印刷すべきページ番号を印刷させずに、操作手段を介して実行されたページ番号の印刷位置を指定する為の第２のユーザ選択に基づいた印刷媒体上の印刷位置に、前記印刷すべきページ番号を、前記印刷手段により、印刷可能にする、ことを特徴とする画像処理方法。
【請求項１２】  複数ページからなる文書データを記憶可能な記憶手段と該記憶手段の文書データを印刷可能な印刷手段とを有する画像処理装置の為の画像処理方法であって、
ページ番号を印刷すべきジョブの文書データの印刷を前記印刷手段により実行可能にし、
ページ番号を印刷すべきジョブの文書データに予めページ番号が付与されている場合に、前記ページ番号を印刷すべきジョブの文書データに予め付与されているページ番号は残したままで印刷すべきページ番号を前記印刷手段により印刷させる第１のナンバリング動作、及び、前記ページ番号を印刷すべきジョブの文書データに予め付与されているページ番号は残さずに前記印刷すべきページ番号を前記印刷手段により印刷させる第２のナンバリング動作、のうちの、操作手段を介して入力されたユーザからの第１の指示に応じた動作を、前記画像処理装置により、実行可能にするが、
前記第２のナンバリング動作を実行する場合に、前記ページ番号を印刷すべきジョブの文書データに予め付与されているページ番号の位置と同じ位置に相当する印刷媒体上の印刷位置に前記印刷すべきページ番号を印刷させずに、前記操作手段を介して入力されたユーザからの第２の指示に基づいた印刷媒体上の印刷位置に、前記印刷すべきページ番号を、前記印刷手段により、印刷可能にする、ことを特徴とする画像処理方法。
【請求項１３】  前記第１のナンバリング動作及び前記第２のナンバリング動作のいずれかをユーザにより選択可能にする表示を前記操作手段の表示部に実行させ、該表示を介して前記第１の指示をユーザにより入力可能にする、ことを特徴とする請求項１２記載の画像処理方法。
【請求項１４】  前記文書データの印刷がなされる印刷媒体における前記印刷すべきページ番号の印刷位置を予め定められた個数の選択候補の中からユーザにより選択可能にする為の表示を前記操作手段の表示部に実行させ、該表示を介して前記印刷すべきページ番号の印刷位置を指定する為の指示をユーザにより入力可能にする、ことを特徴とする請求項９乃至１３の何れかに記載の画像処理方法。
【請求項１５】  互いに複数ページからなる第１の文書データ及び第２の文書データを含む互いに独立した複数の文書データを記憶可能な記憶手段の文書データを印刷可能な印刷手段を有する画像処理装置の為の画像処理方法であって、
前記記憶手段の互いに独立した複数の文書データの中から前記第１の文書データと前記第２の文書データを、操作手段を介してユーザにより選択可能にし、該選択された互いに独立した第１の文書データと第２の文書データを１つの文書データとして前記印刷手段により印刷可能にし、
前記操作手段を介してユーザにより選択された互いに独立した第１の文書データと第２の文書データを１つの文書データとして印刷させる場合に、これらの文書データの為にページ番号を前記印刷手段により印刷可能にするが、前記操作手段を介して入力されたユーザ指示により、前記第１の文書データの最終ページの為に印刷させるページ番号に連続するページ番号を前記第２の文書データの先頭ページの為に印刷することなく、所定のページ番号を前記第２の文書データの先頭ページの為のページ番号として前記印刷手段により印刷可能にする、ことを特徴とする画像処理方法。
【請求項１６】  互いに複数ページからなる第１の文書データ及び第２の文書データを含む互いに独立した複数の文書データを記憶可能な記憶手段の文書データを印刷可能な印刷手段を有する画像処理装置の為の画像処理方法であって、
前記記憶手段の互いに独立した複数の文書データの中から前記第１の文書データと前記第２の文書データを、操作手段を介してユーザにより選択可能にし、該選択された互いに独立した第１の文書データと第２の文書データを１つの文書データとして前記印刷手段により印刷可能にし、
前記操作手段を介してユーザにより選択された互いに独立した第１の文書データと第２の文書データを１つの文書データとして印刷させる場合に、これらの文書データの為にページ番号を前記印刷手段により印刷可能にするが、前記操作手段を介して入力されたユーザ指示により、前記第１の文書データの最終ページの為に印刷させるページ番号に連続するページ番号を前記第２の文書データの先頭ページの為に印刷することなく、前記第１の文書データの先頭ページの為に印刷させるページ番号と同じページ番号を前記第２の文書データの先頭ページの為のページ番号として前記印刷手段により印刷可能にする、ことを特徴とする画像処理方法。
【請求項１７】  互いに複数ページからなる第１の文書データ及び第２の文書データを含む互いに独立した複数の文書データを記憶可能な記憶手段のデータの印刷を実行可能な印刷手段を有する画像処理装置の為の画像処理方法であって、
前記記憶手段の互いに独立した複数の文書データの中から前記第１の文書データと前記第２の文書データを操作手段を介してユーザにより選択可能にし、該選択された互いに独立した第１の文書データと第２の文書データを１つの文書データとして前記印刷手段により印刷可能にし、  前記操作手段を介してユーザにより選択された互いに独立した第１の文書データと第２の文書データを１つの文書データとして印刷させる場合に、これらの文書データの為に、章番号とページ番号を、前記印刷手段により印刷可能にするが、前記操作手段を介してユーザから所定の指示が入力された場合に、前記第１の文書データの最終ページの為に印刷させるページ番号に連続するページ番号を前記第２の文書データの先頭ページの為に印刷することなく、所定のページ番号を前記第２の文書データの先頭ページの為のページ番号として前記印刷手段により印刷させ、且つ、前記第１の文書データの為に印刷させる章番号と異なる章番号を前記第２の文書データの為の章番号として前記印刷手段により印刷させる、ことを特徴とする画像処理方法。
【請求項１８】  互いに複数ページからなる第１の文書データ及び第２の文書データを含む互いに独立した複数の文書データを記憶可能な記憶手段のデータの印刷を実行可能な印刷手段を有する画像処理装置の為の画像処理方法であって、
前記記憶手段の互いに独立した複数の文書データの中から前記第１の文書データと前記第２の文書データを操作手段を介してユーザにより選択可能にし、該選択された互いに独立した第１の文書データと第２の文書データを１つの文書データとして前記印刷手段により印刷可能にし、  前記操作手段を介してユーザにより選択された互いに独立した第１の文書データと第２の文書データを１つの文書データとして印刷させる場合に、これらの文書データの為に、章番号とページ番号を、前記印刷手段により印刷可能にするが、前記操作手段を介してユーザから所定の指示が入力された場合に、前記第１の文書データの最終ページの為に印刷させるページ番号に連続するページ番号を前記第２の文書データの先頭ページの為に印刷することなく、前記第１の文書データの先頭ページの為に印刷させるページ番号と同じページ番号を前記第２の文書データの先頭ページの為のページ番号として前記印刷手段により印刷させ、且つ、前記第１の文書データの為に印刷させる章番号に連続する章番号を前記第２の文書データの為の章番号として前記印刷手段により印刷させる、ことを特徴とする画像処理方法。
【請求項１９】  前記第２の文書データの為の章番号として、前記第１の文書データの為に印刷させる章番号に連続する章番号を、前記印刷手段により印刷可能にする、ことを特徴とする請求項１７記載の画像処理方法。
【請求項２０】  前記第１の文書データの為の章番号として、１を前記印刷手段により印刷可能にする、ことを特徴とする請求項１７乃至１９の何れかに記載の画像処理方法。
【請求項２１】  前記第１の文書データの為の章番号として、前記操作手段を介してユーザにより指定された章番号を、前記印刷手段により印刷可能にする、ことを特徴とする請求項１７乃至２０の何れかに記載の画像処理方法。
【請求項２２】  前記第２の文書データの先頭ページの為のページ番号として、前記第１の文書データの先頭ページの為のページ番号と同じページ番号を、前記印刷手段により印刷可能にする、ことを特徴とする請求項１５、１７、１９乃至２１の何れかに記載の画像処理方法。
【請求項２３】  前記第２の文書データの先頭ページの為のページ番号として、１を前記印刷手段により印刷可能にする、ことを特徴とする請求項１５乃至２２の何れかに記載の画像処理方法。
【請求項２４】  前記第２の文書データの先頭ページの為のページ番号として、前記操作手段を介してユーザにより指定された番号を、前記印刷手段により印刷可能にする、ことを特徴とする請求項１５乃至２３の何れかに記載の画像処理方法。
【請求項２５】  前記操作手段における前記第１の文書データと前記第２の文書データのユーザによる選択順序と同じ順序で前記第１の文書データと前記第２の文書データを１つの文書データとして前記印刷手段により印刷させることを特徴とする請求項１５乃至２４の何れかに記載の画像処理方法。
【請求項２６】  前記操作手段を介して、ページ番号の印刷フォント及びフォントサイズ及び印刷濃度及びページの表記の仕方のうちの少なくとも何れかの印刷設定を、ユーザにより、実行可能にする、ことを特徴とする請求項１５乃至２５の何れかに記載の画像処理方法。
【請求項２７】  原稿読取手段で読取ったジョブの文書データ、及び、ホストコンピュータから出力されたジョブの文書データを、前記印刷手段により印刷可能にする、ことを特徴とする請求項９乃至２６の何れかに記載の画像処理方法。
【請求項２８】  複数ページからなる１つの文書データに含まれる先頭ページの文書データのページ番号を１とすることを特徴とする請求項９乃至２７の何れかに記載の画像処理方法。
【請求項２９】  複数ページからなる１つの文書データに含まれる先頭ページの文書データのページ番号を、前記操作手段を介してユーザにより任意に指定可能にする、ことを特徴とする請求項９乃至２８の何れかに記載の画像処理方法。
【請求項３０】  複数ページからなる１つの文書データに含まれる各ページのページ番号が連番となるようにすることを特徴とする請求項９乃至２９の何れかに記載の画像処理方法。
【請求項３１】  前記画像処理装置がプリント機能を具備する他の画像処理装置と通信可能な場合に、ページ番号が付与されるジョブを各画像処理装置に割当てて分割出力可能にする、ことを特徴とする請求項９乃至３０の何れかに記載の画像処理方法。
【請求項３２】  前記画像処理装置がプリント機能を具備する他の画像処理装置と通信可能な場合に、ページ番号が反映されるイメージデータを転送可能にする、ことを特徴とする請求項９乃至３１の何れかに記載の画像処理方法。
【請求項３３】  請求項９乃至３２の何れかに記載の画像処理方法を実現するプログラムを記憶したことを特徴とするコンピュータ読取可能な記憶媒体。
【請求項３４】  請求項９乃至３２の何れかに記載の画像処理方法をコンピュータに実行させる為のプログラム。
【手続補正３】
【補正対象書類名】明細書
【補正対象項目名】００１６
【補正方法】変更
【補正の内容】
【００１６】
本発明は、上記の問題点を解決するためになされたもので、複数ページからなる文書データを記憶可能な記憶手段と該記憶手段の文書データを印刷可能な印刷手段とを有する画像処理装置の前記印刷手段によりページ番号を印刷すべきジョブを処理する場合に、整合化されたページ番号を付与でき、ページ番号の視認性を格段に向上できる仕組みを提供することである。
【手続補正４】
【補正対象書類名】明細書
【補正対象項目名】００１７
【補正方法】変更
【補正の内容】
【００１７】
【課題を解決するための手段】
本発明は、複数ページからなる文書データを記憶可能な記憶手段と該記憶手段の文書データを印刷可能な印刷手段とを有する画像処理装置であって、ページ番号を印刷すべきジョブの文書データの印刷を前記印刷手段により実行可能にする制御手段を有し、前記制御手段は、ページ番号を印刷すべきジョブの文書データに予めページ番号が付与されている場合に、該予め付与されているページ番号は前記印刷手段により印刷させず、且つ、操作手段を介して入力されたユーザ指示により、印刷すべきページ番号を印刷媒体上のどの位置に印刷させるか前記操作手段を介してユーザが指定することなく、前記ページ番号を印刷すべきジョブの文書データに予め付与されているページ番号の位置と同じ位置に相当する印刷媒体上の印刷位置に、前記印刷すべきページ番号を、自動的に、前記印刷手段により、印刷可能にすることを特徴とする。
【手続補正５】
【補正対象書類名】明細書
【補正対象項目名】０１９０
【補正方法】変更
【補正の内容】
【０１９０】
【発明の効果】
以上説明したように、本発明によれば、複数ページからなる文書データを記憶可能な記憶手段と該記憶手段の文書データを印刷可能な印刷手段とを有する画像処理装置の前記印刷手段によりページ番号を印刷すべきジョブを処理する場合に、整合化されたページ番号を付与でき、ページ番号の視認性を格段に向上できるという効果を奏する。